(57)【要約】【課題】天面が深く立体成形された蓋体を被せた容器を複数個積み重ねても、立体成形された印刷面がつぶれることのない、天面に立体成形された印刷面を有する容器蓋体を提供すること。【解決手段】容器本体（２０）の開口部に被せる容器蓋体（１０）であって、プラスチックシートに印刷された絵柄をシート周縁（１２）を基点として立体成形したドーム部（１１）と、ドーム部の周縁（１１）をドーム部のと垂直方向に囲みドーム部を固定する側壁（１５）と、側壁の内側で側壁の上端縁近傍より、ドーム部の成形高さより長い幅を有し側壁の内側に貼着された帯状部材（１６）とから構成され、天面を構成するドーム部が、ドーム部周縁を側壁の内側に貼着された帯状部材の厚み部分で固定されている。【選択図】図２
2005297975.tif 000002
【特許請求の範囲】
【請求項１】
容器本体の開口部に被せる容器蓋体であって、
前記蓋体は、プラスチックシートに印刷された絵柄をシート周縁を基点として立体成形したドーム部と、前記ドーム部の周縁をドーム部と垂直方向に囲みドーム部を固定する側壁と、前記側壁の内側で側壁の上端縁近傍より、前記ドーム部の成形高さより長い幅を有し側壁の内側に貼着された帯状部材とから構成され、
前記天面を構成するドーム部は、ドーム部周縁を側壁の内側に貼着された帯状部材の厚み部分で固定されていることを特徴とする、天面が立体成形された印刷面を有する容器蓋体。
【請求項２】
前記ドーム部の下部にはドーム部と重なるように天板が嵌め込まれていることを特徴とする、請求項１記載の天面が立体成形された印刷面を有する容器蓋体。
【請求項３】
前記側壁の上端縁には上端縁を内方に巻き込んだ巻き込み部が形成されていることを特徴とする、請求項１又は２記載の天面が立体成形された印刷面を有する容器蓋体。
【発明の詳細な説明】
【技術分野】
【０００１】
本発明は、天面に立体成形された印刷面を有する容器蓋体に関するものであり、特には、蓋をした容器を複数個積み重ねても立体成形された印刷面がつぶれることのない天面に立体成形された印刷面を有する容器蓋体に関する。
【背景技術】
【０００２】
蓋体の天面に形成された立体成形部分が潰れないようにするための発明としては、例えば、容器本体の底面をあげ底形に変形して箱を積み重ねる際に蓋体の立体成形部分を保護するようにした箱（例えば、特許文献１参照）とか、蓋体の周縁を巻き締めして蓋体天面に段差を付け、箱を積み重ねる際に蓋体天面の立体成形部分をその段差内に収めるようにした蓋（例えば、特許文献２参照）などが知られている。
【０００３】
上記先行技術文献を示す。  
【特許文献１】実開昭５２−１５６６２２号公報
【特許文献２】実開昭５７−０２９５３９号公報
【０００４】
しかし、前者の発明は、あげ底以上の深さには天面を立体成形することができない、また、後者の発明は、巻き締め幅以上の深さには天面を立体成形することができないという問題がある。
【発明の開示】
【発明が解決しようとする課題】
【０００５】
本発明は、天面に立体成形された蓋体に関する以上のような問題に鑑みてなされたもので、深い幅で立体成形された蓋体を複数個積み重ねても立体成形された印刷面がつぶれることのない天面に立体成形された印刷面を有する容器蓋体を提供することを課題とする。
【課題を解決するための手段】
【０００６】
本発明の請求項１の発明は、容器本体の開口部に被せる容器蓋体であって、前記容器蓋体は、プラスチックシートに印刷された絵柄をシート周縁を基点として立体成形したドーム部と、前記ドーム部の周縁をドーム部と垂直方向に囲みドーム部を固定する側壁と、前記側壁の内側で側壁の上端縁近傍より、前記ドーム部の成形高さより長い幅を有し側壁の内側に貼着された帯状部材とから構成され、前記天面を構成するドーム部は、ドーム部周縁を側壁の内側に貼着された帯状部材の厚み部分で固定されていることを特徴とする、天面に立体成形された印刷面を有する容器蓋体である。
【０００７】
このように請求項１記載の発明によれば、容器蓋体は、プラスチックシートに印刷された絵柄をシート周縁を基点として立体成形したドーム部と、前記ドーム部の周縁をドーム部と垂直方向に囲みドーム部を固定する側壁と、前記側壁の内側で側壁の上端縁近傍より、前記ドーム部の成形高さより長い幅を有し側壁の内側に貼着された帯状部材とから構成され、前記天面を構成するドーム部は、ドーム部周縁を側壁の内側に貼着された帯状部材の厚み部分で固定されているので、蓋材に内方から外方に向けて力が加わっても，天板であるドーム部が側壁から抜け落ちることはないし、また、ドーム部の周縁と成形された最高点との差（成形深さ）はドーム部を側壁で固定している帯状部材の幅よりも狭くなり、容器蓋体を被せた容器を積み重ねても容器の底面が容器蓋体のドーム部に接触することがない。
【０００８】
また、請求項２の発明は、請求項１の発明において、前記ドーム部の下部にはドーム部と重なるように天板が嵌め込まれていることを特徴とする、天面に立体成形された印刷面を有する容器蓋体である。
【０００９】
このように請求項２記載の発明によれば、ドーム部の下部にはドーム部と重なるように天板が嵌め込まれているので、容器本体に収納した内容物が直接ドーム部を構成しているプラスチックシートや印刷インキ層に接触することがない。
【００１０】
また、請求項３の発明は、請求項１又は２の発明において、前記側壁の上端縁には上端縁を内方に巻き込んだ巻き込み部が形成されていることを特徴とする、天面に立体成形された印刷面を有する容器蓋体である。
【００１１】
このように請求項３記載の発明によれば、側壁の上端縁には上端縁を内方に巻き込んだ巻き込み部が形成されているので、側壁の端面が露出せず見栄えが良く、安全性も高い。
【発明の効果】
【００１２】
このように本発明の天面に立体成形された印刷面を有する容器蓋体は、比較的深い深さの段差を形成することができるので、蓋体を被せた容器を複数個積み重ねたときに、ドーム部は重ねられた容器の底面に接触しないので、天面であるドーム部が潰れることはない。
【発明を実施するための最良の形態】
【００１３】
本発明の天面に立体成形された印刷面を有する容器蓋体を一実施形態に基づいて以下に詳細に説明する。
【００１４】
本発明の天面に立体成形された印刷面を有する容器蓋体（１０）は、例えば、図１、図２に示すように、プラスチックシート（１１）に印刷された絵柄をシート周縁（１２）を基点として立体成形（１３）したドーム部（１１）と、前記ドーム部の周縁（１２）をドーム部と垂直方向に囲みドーム部を固定する側壁（１５）と、前記側壁の内側で側壁の上端縁近傍より、前記ドーム部の成形高さより長い幅を有し側壁の内側に貼着された帯状部材（１６）とから構成される。
【００１５】
そして、前記天面を構成するドーム部（１１）は、ドーム部周縁（１２）を側壁の内側に貼着された帯状部材（１６）の厚み部分で固定されていることを特徴とする。
【００１６】
ドーム部（１１）は、後記するように真空成形法、圧空成形法等のシート成形法により作製されるため、ドーム部（１１）を構成するプラスチックシート（１１）としては、シート成形性の良いポリエチレンテレフタレート、ポリプロピレン、ポリスチレン等のシートが好適に使用でき、また、０．３〜０．５ｍｍ程度の厚さのものが好適に使用できる。
【００１７】
また、ドーム部（１１）は、上記のプラスチックシートにシルクスクリーン印刷、グラビア印刷等の公知の印刷方法によりキャラクターなどの絵柄等を表刷りあるいは裏刷りして印刷層を形成させ、さらに、必要箇所を真空成形法、圧空成形法等のシート成形法により立体的に成形することにより得られる。
【００１８】
天面となるドーム部（１１）をドーム部の周縁に密接してドーム部に対して垂直方向にドーム部を囲む側壁（１５）は、マニラボール、コートボール等の板紙製で、蓋体の大きさ等にもよるが３５０〜５５０ｇ／ｍ2 程度の坪量のものが好適に使用できる。必要に応じて外面側には文字や、各種のデザインによる絵柄等による印刷層（図示せず）を設けた
り、さらには表面を美しく見せるための各種の艶だし加工等の表面加工を行うことができる。
【００１９】
側壁（１５）の内側に貼り付ける帯状部材（１６）は、側壁の上端縁近傍より側壁の下端縁までの任意の幅で、側壁の内側全周にわたって貼着される。
【００２０】
側壁材料は、側壁に挿入されるドーム部（１１）を保持する必要から、厚みと剛性のあるものであれば特に限定されないが、側壁と同材質のマニラボール、コートボール等の板紙が好ましく使用できる。
【００２１】
帯状部材（１６）の外面とドーム部（１１）の外面とを同一色に統一しておくことにより、帯状部材（１６）とドーム部（１１）が一体化されたように見えて見栄えが良い。
【００２２】
ドーム部（１１）の下面にドーム部と重ねるようにして天板（１７）を嵌め込んでも良い。天板（１７）を配置することにより、ドーム部（１１）が補強されると同時に、容器本体（２０）に収納した、例えば、菓子等の内容物が直接ドーム部を構成しているプラスチックシートや印刷層に接触することがなく、安全性が確保できる。
【００２３】
天板（１７）の材質は、側板（１５）や帯状部材（１６）と同材質のマニラボール、コートボール等の板紙が好ましく使用できる。カード紙と裏白チップボールの二枚合紙等を使用することもできる。天板の外面、すなわち、容器蓋材を容器本体から開けた際に見える面は、艶だし加工などの表面を美しく見せるための加工を施すことが望ましい。
【００２４】
側壁（１５）の上端縁は、図示してあるように、上端縁を内方に巻き込んで巻き込み部（１８）を形成させた形態をとっても良い。巻き込み部（１８）を設けることにより、紙端面が露出せず、手指を切る恐れがなく、見栄えが良いし、積み重ねた容器同士がこすれるなどしても紙粉が発生することもなく衛生的で、安全性にも富んでいる。
【００２５】
蓋体（１０）を被せる容器本体（２０）は、紙箱のほかに、紙カップ、紙筒、金属缶等任意である。
また、容器蓋体（１０）の天面の形状は、四角形，五角形等の方形のほか、円形、楕円形等任意である。
【００２６】
つぎに容器蓋体（１０）の作製方法について、その一例を述べる。
【００２７】
先ず、厚さが５００μｍのポリエチレンテレフタレートシート（１１）の片面にシルクスクリーン印刷法によりキャラクター、文字、絵柄等をベタ刷りして印刷層を形成させた。
【００２８】
印刷層を形成させたポリエチレンテレフタレートシート（１１）の非印刷面を外面にして、印刷層に見当を合わせて真空、圧空成形法によりシート成形して、打ち抜き、成形高さが約１０ｍｍの立体成形された表面が楕円形状のドーム部（１１）を作製した。
【００２９】
別に、坪量が４５０ｇ／ｍ2 の外面に印刷層が形成されたカード紙を適宜の寸法の帯状に形成し、その両端縁を重ね合わせて貼着し約４０ｍｍ幅の上記楕円形状のドーム部（１１）の周縁（１２）全体を囲むことのできる側壁用の部材を作製した。
【００３０】
坪量が２７０ｇ／ｍ2 のカード紙と裏白チップボールの二枚合紙を用いて、楕円形状のドーム部（１１）と略同寸法の天板（１７）を打ち抜き準備した。なお、天板の片面はプレスコートにより強光沢を付与した。
【００３１】
さらに、片面をドーム部（１１）の周縁部分と同色で印刷した側壁用部材と同一材質の約１０ｍｍ幅の帯状部材（１６）を準備した。
【００３２】
両端縁を重ね合わせて貼着した円形状の側壁用の部材の上端縁を約５ｍｍの径で内側に巻き込み、巻き込み部（１８）を形成させ、側壁（１５）とした。
【００３３】
その後、約１０ｍｍ幅の帯状部材（１６）を、印刷面が外面に出るようにして先に準備した側壁（１５）の内面に、下端から約２０ｍｍの距離を隔てて全周に渡って貼着した。従って、巻き込み部（１８）の上端から帯状部材（１６）の下端までは、約１５ｍｍあることになる。
【００３４】
ドーム部（１１）の印刷層を形成した面と、天板（１７）の非プレスコート面を対向させ重ね合わせて側壁（１５）の巻き込み部（１８）を形成していない方の端縁側からドーム部（１１）を外側に天板（１７）を内側にして挿入し、本発明の容器蓋材（１０）にセットする。
【００３５】
出来上がった容器蓋材（１０）は、内容物を収納した容器本体（２０）の開口部に被せて容器（１）とする。
【００３６】
容器蓋材（１０）を被せた容器を複数個積み重ねても、ドーム部（１１）は、重ねられた容器の容器本体（２０）の底面（２１）に接触しないので、立体成形されたドーム部（１１）が潰れることがない。
帯状部材（１６）の紙幅を広くすることにより、さらにドーム部の成形高さを深くすることが可能になる。
【図面の簡単な説明】
【００３７】
【図１】本発明の容器蓋体を容器本体に被せた状態の一実施例を示す、斜視説明図である。
【図２】本発明の容器蓋体の一実施例を示す、断面説明図である。
【図３】図２のＡ部拡大説明図である。
【図４】本発明の容器蓋体を容器本体に被せた容器を複数個積み重ねた状態を示す、説明図である。
【符号の説明】
【００３８】
１‥‥容器    
１０‥‥容器蓋体
１１‥‥プラスチックシート、ドーム部
１２‥‥シート周縁、ドーム部周縁
１３‥‥立体成形部分
１５‥‥側壁
１６‥‥帯状部材
１７‥‥天板
１８‥‥巻き込み部
２０‥‥容器本体
２１‥‥容器底面
【図１】
2005297975.tif 000003
【図２】
2005297975.tif 000004
【図３】
2005297975.tif 000005
【図４】
2005297975.tif 000006